(57)【特許請求の範囲】
【請求項１】
絶縁性シートと、前記絶縁性シート上に複数列設けられた導体と、前記複数列の導体のうち信号線となる前記導体の外周に間隙を隔てて覆う導電性シートとを有し、
前記導電性シートは前記絶縁性シートの両面側にそれぞれ設けられると共に、前記複数列の導体のうちグランド線となる前記導体に電気的に接続され、且つ前記導電性シートには、複数のスリットが前記導体の長手方向に沿って所定の間隔に形成されている構造であって、前記スリットは前記導体と交差する方向に形成された孔であり、
前記導電性シートに設けられる導電性連結部が、前記スリットに掛け渡されるように形成されていることを特徴とするフレキシブルプリント配線板。
【請求項２】
前記導電性連結部は、前記導電性シートと高周波伝搬が可能な程度に前記導電性シートに近接して設けられる導電性連結部材であることを特徴とする請求項１記載のフレキシブルプリント配線板。
【請求項３】
前記導電性連結部材が、網目状構造であることを特徴とする請求２項に記載のフレキシブルプリント配線板。
【請求項４】
絶縁性シートと、前記絶縁性シート上に複数列設けられた導体と、前記複数列の導体のうち信号線となる前記導体の外周に間隙を隔てて覆う導電性シートとを有し、
前記導電性シートは前記絶縁性シートの両面側にそれぞれ設けられると共に、前記複数列の導体のうちグランド線となる前記導体に電気的に接続され、且つ前記導電性シートには、複数のスリットが前記導体の長手方向に沿って所定の間隔に形成されている構造であって、前記スリットは前記導体と交差する方向に形成された孔であり、
前記スリットには、前記導電性シートよりも弾性率の小さい導電性材料が設けられることを特徴とするフレキシブルプリント配線板。
【請求項５】
前記導電性連結部は、前記導電性シートにパンチング又はエッチングにより前記スリットを形成する際に、前記導電性連結部を残して形成されることを特徴とする請求項１に記載のフレキシブルプリント配線板。
【発明の詳細な説明】
【技術分野】
【０００１】
本発明は、高周波・高速伝送に適したフレキシブルプリント配線板に関するものである。
【背景技術】
【０００２】
電子機器の軽量小形化、多機能高性能化に伴い、従来の電線を用いた配線方法に替わって、フレキシブルプリント配線板が、ノートブックパソコン、デジタルカメラ、携帯電話などの民生用ポータブル電子機器や、医療機器や電子計算機などの産業用電子機器内部の基板間の配線に使用されている。また近年では、電子機器の多機能高性能化に伴って、フレキシブルプリント配線板上の信号線で伝送されるデジタル信号は、より大容量かつ高速な信号となってきている。
【０００３】
デジタル信号の周波数がＭＨｚクラスの高周波信号でも、信号線により伝送される高周波デジタル信号が隣接する信号線や周囲の他の電子部品等に電気的ノイズを与える問題がある。
このような問題を回避する手段としては、高周波信号を伝送するフレキシブルプリント配線板の信号線の周囲に絶縁体を介して導電性ペーストを塗布したり、金属箔を貼り付けたりする方法で導電性のシールド層を形成し、このシールド層と、信号線に対して適切な位置に配置されたグランドとを電気的に接続する方法が従来から知られている。また、信号導体の上下・左右に絶縁体を介して接地導体を配置し、それら接地導体間を接続することにより、信号導体を接地導体で遮蔽する構造のフレキシブル並列多芯ケーブルが知られている（例えば、特許文献１参照）。
【０００４】
また、信号線とシールド層間の絶縁層の比誘電率の大きさ（通常使用されているポリイミドの比誘電率は３.８〜４.０程度）が要因となり、信号の伝搬速度の低下や伝送損失が問題となる。更に、絶縁層の加工精度や比誘電率のばらつきにより、パラレル信号伝送時に各信号間のスキューが発生する問題もある。
【０００５】
絶縁層材料中の信号線を伝搬する信号の伝搬速度ｖは、
ｖ＝ｃ／（εｒ）１／２  ……(１)
で表される。ここで、ｃは光速度、εｒは絶縁層材料の比誘電率を示す。
(１)式に示されるように、伝搬速度ｖは絶縁層材料の比誘電率εｒの平方根の逆数に比例するので、材料の比誘電率εｒが小さいほど伝搬速度ｖは速くなる。また、比誘電率εｒのばらつきは、パラレル信号伝送時の各信号間のスキューの原因となるので、誘電率の均一性も重要である。
更に、使用周波数がＧＨｚ帯になると絶縁層材料の誘電損失に起因する伝送損失が大きな問題となる。絶縁層材料の誘電損失ＬＤは、
ＬＤ＝ｋ・ｆ・（εｒ）１／２・tanδ    ……（２）
で表される。ここで、ｋは定数、ｆは周波数、εｒは比誘電率、tanδは誘電正接を示す
。（２）式に示されるように、高周波における伝送損失は比誘電率εｒと誘電正接tanδ
が小さいほど少なくなる。
以上の理由より、ＧＨｚ帯の高周波信号の伝送には、特に低誘電率な絶縁層材料が望まれる。
【０００６】
従来、伝搬速度の低下、伝送損失の増加の問題を回避する手段としては、液晶ポリマー（比誘電率は３.０程度）など様々な低誘電率絶縁材料の開発が進められている。また、
絶縁層部に発泡したポリオレフィンを用い、絶縁材料中に空気層を形成することによって
実効的な比誘電率を下げ、伝搬速度の低下の抑制、伝送損失の低減を図る構造が提案されている（例えば、特許文献２参照）。
【特許文献１】特開２００５−１９３３０号公報
【特許文献２】実開平５−３６７１１号公報
【発明の開示】
【発明が解決しようとする課題】
【０００７】
しかし、数ＧＨｚ以上の高周波信号を高速伝送する場合、ＭＨｚクラスの高周波信号の伝送に比べ、絶縁層の比誘電率が要因となり、伝搬速度の低下や伝送損失の増加がより大きな問題となる。
例えば、絶縁層の比誘電率による信号の伝搬速度の低下、伝送損失の増加の問題に関しては、比誘電率がポリイミドより小さな液晶ポリマーが開発されているが、現状では生産量が少なく価格が高い。一方、発泡した絶縁材料を絶縁層に用いる方法もあるが、絶縁材料の発泡を調節し絶縁層の比誘電率を均一にすることは困難である。特にパラレル信号伝送時には、絶縁層の加工精度の違いにより各信号線の比誘電率にばらつきが起こり、各信号間のスキュー発生が大きな問題となる。また高速伝送を重視する場合には、より比誘電率の小さい材料が必要となる。
【０００８】
本発明は、上記課題を解決し、高周波信号を高速伝送可能なフレキシブルプリント配線板を提供することにある。
【課題を解決するための手段】
【０００９】
本発明は、上記課題を解決するために、次のように構成されている。本発明の第１の態様は、絶縁性シートと、前記絶縁性シート上に複数列設けられた導体と、前記複数列の導体のうち信号線となる前記導体の外周に間隙を隔てて覆う導電性シートとを有し、前記導電性シートは前記絶縁性シートの両面側にそれぞれ設けられると共に、前記複数列の導体のうちグランド線となる前記導体に電気的に接続され、且つ前記導電性シートには、複数のスリットが前記導体の長手方向に沿って所定の間隔に形成されている構造であって、前記スリットは前記導体と交差する方向に形成された孔であり、前記導電性シートに設けられる導電性連結部が、前記スリットに掛け渡されるように形成されていることを特徴とするフレキシブルプリント配線板である。
【００１０】
本発明の第２の態様は、第１の態様のフレキシブルプリント配線板において、前記導電性連結部は、前記導電性シートと高周波伝搬が可能な程度に前記導電性シートに近接して設けられる導電性連結部材であることを特徴とする。
【００１１】
本発明の第３の態様は、第２の態様のフレキシブルプリント配線板において、前記導電性連結部材が、網目状構造であることを特徴とする。
【００１２】
本発明の第４の態様は、絶縁性シートと、前記絶縁性シート上に複数列設けられた導体と、前記複数列の導体のうち信号線となる前記導体の外周に間隙を隔てて覆う導電性シートとを有し、前記導電性シートは前記絶縁性シートの両面側にそれぞれ設けられると共に、前記複数列の導体のうちグランド線となる前記導体に電気的に接続され、且つ前記導電性シートには、複数のスリットが前記導体の長手方向に沿って所定の間隔に形成されている構造であって、前記スリットは前記導体と交差する方向に形成された孔であり、前記スリットには、前記導電性シートよりも弾性率の小さい導電性材料が設けられることを特徴とするフレキシブルプリント配線板である。
本発明の第５の態様は、第１の態様のフレキシブルプリント配線板において、前記導電性連結部は、前記導電性シートにパンチング又はエッチングにより前記スリットを形成する際に、前記導電性連結部を残して形成されてもよい。
【発明の効果】
【００１３】
本発明によれば、可撓性を損なうことなく、信号の伝搬速度の向上、伝送損失の低減が図れると共に、伝送特性を向上させることができるフレキシブルプリント配線板を実現できる。
【発明を実施するための最良の形態】
【００１４】
以下に、本発明に係るフレキシブルプリント配線板の実施形態を図面を用いて説明する。
【００１５】
〈本発明のフレキシブルプリント配線板の前提となる基本構造〉
まず、本発明の実施形態の説明に先立って、本発明のフレキシブルプリント配線板の前提となる基本構造を述べる。図１及び図２には、この基本構造を有するフレキシブルプリント配線板を示す。図１はフレキシブルプリント配線板の斜視図であり、図２は図１の断面図である。
【００１６】
図１、図２に示すように、このフレキシブルプリント配線板は、可撓性の絶縁シートであるポリイミドシート５上に、導体である銅配線（信号線に相当し、以下、信号線とも呼ぶ）１が形成されている。信号線１の両側には一定間隔を隔てて、信号線１の幅と同等か信号線１よりも幅の広い導体である銅配線（グランド線に相当し、以下、グランド線とも呼ぶ）２が形成されている。また、信号線１が形成された側をポリイミドシート５の表面とすると、グランド線２は、ポリイミドシート５の表面及び裏面に対になるよう形成されている。
なお、図１及び図２において、グランド線２をポリイミドシート５の表面のみ、又は裏面のみに形成してもよい。また、信号線１をポリイミドシート５の一方の面と他方の面に交互に設けるようにしてもよい。
絶縁性シート及び導体の材料には、フレキシブル配線板に一般的に使用されて実績のある、ポリイミド、銅をそれぞれ選択した。
【００１７】
これら銅配線１，２が形成されたポリイミドシート５の両面側に、導電性シートであるリン青銅シートが外部導体６として設けられている。外部導体６は、信号線１を挟んで両側に所定の間隔を隔てて形成されたグランド線２、２間にまたがり、且つ信号線１の外周部にほぼ楕円形状断面の間隙（空隙）Ａを形成して設けられている。即ち、外部導体６は、グランド線２に電気的に接続される平面状部６ｂと、信号線１の外周に間隙Ａを隔てて覆うアーチ状部６ａとからなり、平面状部６ｂとアーチ状部６ａとが交互に連続してつながった形状となっている。外部導体６にリン青銅シートを用いたのは、リン青銅がバネ特性の良好な導電性材料であることによるが、外部導体６は、これに限定されるものではない。また、外部導体６にアーチ状部６ａを形成することで、外部導体６に覆われた領域の略中央に、内部導体となる信号線１を設けた略同軸形状が形成される。
外部導体６のアーチ状部６ａには、信号線１に沿って一定間隔でスリット７が設けられ、アーチ状部６ａの可撓性が高められている。なお、平面状部６ｂにも同様に、スリットを設けるようにしても良い。
このように導電性シートに形成したスリット７が、フレキシブルプリント配線板の屈曲時において、あたかも蛇腹状に機能して、フレキシブルプリント配線板の可撓性が高まる。
【００１８】
グランド線２部における、ポリイミドシート５及び表裏面のグランド線２，２を貫通させてスルーホール３が形成されている。スルーホール３はグランド線２の長手方向に沿って一定間隔に形成されている。各スルーホール３内及びグランド線２表面には導電性ペースト４が塗布または充填されており、ポリイミドシート５表面側のグランド線２及び外部導体６と、ポリイミドシート５裏面側のグランド線２及び外部導体６とが構造的にも電気的にも接続されている。
なお、図１及び図２では、信号線１が２本のみ描かれているが、実際に製造されるフレキシブルプリント配線板では、より多くの本数の信号線１が形成され、また信号線１の長手方向も図示のものより長いが、便宜上、その分は図示省略している。
【００１９】
次に、上記構造のフレキシブルプリント配線板の作製方法の一例を説明する。
ポリイミドシート５及び銅配線１、２を作成する素材には、２層フレキシブル銅張積層板を使用する。この２層フレキシブル銅張積層板は、ポリイミドシート上に接着剤を用いず直接銅箔が貼り付けられたもの、又はポリイミドシート上に銅めっき層が形成されたものである。このような２層フレキシブル銅張積層板を用いることにより、接着剤を用いることなくポリイミドシート５上に銅配線１、２を形成でき、接着剤による誘電率の増加を防ぐことができる。ポリイミドシート５の厚さは、例えば、５０μｍ、３８μｍ、２５μｍ、１２.５μｍなどがあり、銅配線１、２の厚さは、例えば、キャスト法（銅箔上にペ
ースト状のポリイミド樹脂を塗布する方法）で５〜７０μｍ、めっき法（ポリイミドシート上に銅をめっき法で成長させる方法）で０.２〜２０μｍに形成される。
この２層フレキシブル銅張積層板の銅箔・銅めっき層をエッチングすることにより、銅配線１、２を複数列形成する。これら銅配線１、２は通常のフレキシブルプリント配線板のようにカバーレイで保護されないので、必要に応じて銅配線１、２の表面を金などでめっきして保護するようにしてもよい。
【００２０】
グランド線となる銅配線２の部分には、レーザー加工により、銅配線２の長手方向に沿って一定間隔でスルーホール３が設けられ、グランド線２表面及びスルーホール３内に導電性ペースト４が塗布または充填される。外部導体６であるリン青銅シートには、パンチング又はエッチングによりスリット７が設けられ、その後、プレス機により、アーチ状部６ａのアーチ形状が成形加工される。この成形加工された外部導体６の平面状部６ｂが、導電性ペースト４を介して、グランド線２部分に接着される。
【００２１】
上記図１及び図２に示す構造のフレキシブルプリント配線板において、線路の特性インピーダンスが５０Ωとなるように、信号線１の厚さを０.０７ｍｍ、信号線１の幅を２.０ｍｍとし、また、信号線１と隣り合うグランド線２との間隔、及び信号線１表面とこれに対向する外部導体６内面との間隔を０.８〜１.０ｍｍとした。また、外部導体６の厚さを０.３５ｍｍ、スリット７の幅を２.０ｍｍ、スリット７、７間のアーチ状部６ａの幅を２.０ｍｍとした。
【００２２】
このフレキシブルプリント配線板の伝送特性を図７に示す。縦軸は順方向の伝達係数Ｓ２１[ｄＢ]、横軸は信号の周波数[ＧＨｚ]である。図示のように、３ＧＨｚ、６ＧＨｚ、９ＧＨｚの近傍において、伝送特性の波形に遮断域（ｄｉｐ）が発生した。これは、外部導体６に形成されたスリット７が、外部導体６に発生するリターン電流の流れを妨げることで、スリット７がない場合と比べて伝送線路の特性インピーダンスが高くなり、インピーダンス不整合が生じるからである。この結果、特定の周波数で反射による遮断域が発生するという問題があった。
【００２３】
以下の実施形態では、上述したフレキシブルプリント配線板の基本構造を採用しつつ、上記問題を解消するための対策を施している。
【００２４】
〈第１の実施形態〉
図３に、第１の実施形態のフレキシブルプリント配線板を示す。
第１の実施形態のフレキシブルプリント配線板は、上記図１及び図２に示したフレキシブルプリント配線板の基本構造を有するもので、図３に示すように、各スリット７に導電性連結部１１が設けられている点が相違する。即ち、各スリット７には、信号線１と同程度の配線幅を有する導電性連結部１１が、外部導体６の信号線１に沿ってスリット７に連結して掛け渡されており、スリット７の長さ方向の中央部を分断するように形成されている。導電性連結部１１は、外部導体６であるリン青銅シートに、パンチング又はエッチングによりスリット７を形成する際に、導電性連結部１１を残して形成すればよい。
【００２５】
第１の実施形態でも、線路の特性インピーダンスが５０Ωとなるように、信号線１の厚さを０.０７ｍｍ、信号線１の幅を２.０ｍｍとし、また、信号線１と隣り合うグランド線２との間隔、及び信号線１表面とこれに対向する外部導体６内面との間隔を０.８〜１.０ｍｍとした。また、スリット７の幅を２.０ｍｍ、スリット７、７間のアーチ状部６ａの
幅を２.０ｍｍとした。
このとき、導電性連結部１１の幅を０.２ｍｍ、１.０ｍｍ、１.６ｍｍ、２.０ｍｍとした場合の伝送特性をそれぞれ測定した。導電性連結部１１の幅が０.２ｍｍ、１.０ｍｍ、１.６ｍｍ、２.０ｍｍのときの伝送特性測定の結果を、図８Ａ〜図８Ｄにそれぞれ示す。図８Ａ〜図８Ｄに示すように、導電性連結部１１の幅が大きくなるにつれてｄｉｐは浅くなり、導電性連結部１１の幅が２.０ｍｍの場合には、ｄｉｐの発生はほとんど見られず
、外部導体６にスリット７が無い伝送線路の場合とほぼ同等の伝送特性を実現できた。よって、導電性連結部１１の幅を、信号線１の幅と同程度にすることで、外部導体である導電性シートに発生したリターン電流の流れを妨げることなく、特性インピーダンスの増加を抑えることができることが分かった。
【００２６】
また、信号線１を絶縁性シートであるポリイミドシート５のみで支持し、信号線１の外周部をほとんどを間隙（空隙）Ａとした構造としているために、実効的な比誘電率を大幅に下げることができ、伝搬速度の低下、伝送損失を大幅に抑えることができる。更に、従来のような信号線を取り囲む絶縁層の加工精度のばらつきの問題も無くなり、パラレル信号伝送においても、各信号間のスキュー発生を抑えることができる。
絶縁性シートの厚さは、導体の厚さに対して同等か若しくはそれよりも薄くするのが好ましい。また、上記実施形態において、絶縁性シートであるポリイミドシート５に、貫通孔を均一に分散して形成するようにしても良い。これにより、ポリイミドシート５の体積を減らし、実効的な誘電率を下げることになり、信号の伝搬速度の低下や伝送損失の増大を更に抑えることができる。
【００２７】
このように、本実施形態では、電気的ノイズ、信号の伝搬速度の低下、伝送損失、パラレル信号伝送時の各信号間のスキューを、数ＧＨｚ以上の高周波信号を伝送可能な領域まで低減できる構造で、さらに上記基本構造と比較して可撓性の低減を抑えつつ、遮断域がなく伝送特性が良好なフレキシブルプリント配線板が得られる。
【００２８】
また、本実施形態では、外部導体６のアーチ状部６ａに、２.０ｍｍ幅のスリット７を
２.０ｍｍの間隔で設けた場合を説明したが、スリットの幅、間隔はこれに限定されるも
のではない。スリットの幅、間隔は、フレキシブルプリント配線板に求められる可撓性を考慮して形成されると共に、外部からの電気ノイズが導電性シートにより遮蔽されるように形成される。
本実施形態では、信号線１をポリイミドシート５の一方の面（表面）に設けた例で説明をしたが、各信号線１の配置はこれに限定されるものではない。例えば、複数の信号線のうち特定の信号線を裏面に設ける構造としてもよく、各信号線１の配置は、接続相手となる基板等の構造（接続構造）により、適宜決定されればよい。
【００２９】
〈第２の実施形態〉
図４に、第２の実施形態のフレキシブルプリント配線板を示す。
第２の実施形態も、上記図１及び図２に示したフレキシブルプリント配線板の基本構造を有するが、図４に示すように、外部導体６のアーチ状部６ａに導電性連結部材１２が設けられている点が相違する。
導電性連結部材１２は、外部導体６と同じリン青銅からなる薄い帯状・線状の部材であり、信号線１と同程度の配線幅を有する。導電性連結部材１２は、導電性シートのアーチ状部６ａに接するように、且つ信号線１に沿ってスリット７と交差させて設けられる。こ
のとき、導電性連結部材１２とアーチ状部６ａ（外部導体６）とは、外部導体６に発生するリターン電流が、外部導体６から導電性連結部材１２にロスすることなく伝搬（高周波伝搬）可能な程度に、近接して設けられる。
導電性連結部材１２は、外部導体６のアーチ状部６ａに接着せずに、アーチ状部６ａ上に直接のせて外側から絶縁材のジグ（図示せず）で固定した。なお、導電性連結部材１２をアーチ状部６ａの内側にジグなどで取り付けてもよい。また、導電性連結部材１２を導電性ペーストで外部導体６に接着してもよい。
【００３０】
導電性連結部材１２が導電性シートである外部導体６と一体でなくても、高周波的につながっていれば（外部導体６と導電性連結部材１１に微小な間隙があっても）、リターン電流が流れるので、同様に特性インピーダンスの増加を防止できる。
本実施形態のフレキシブルプリント配線板においても、図３に示す上記第１の実施形態よりも特性は若干劣るものの、図示省略したが良好な伝送特性の結果が得られた。
本実施形態では、導電性連結部材１２の厚さを０.３５ｍｍとした。導電性連結部材の
厚さはこれに限定されるものではなく、フレキシブルプリント配線板の使用環境などにより適宜決定される。例えば、フレキシブル配線板に求められる変形量などを考慮して決定されればよい。
【００３１】
〈第３の実施形態〉
図５に、第３の実施形態のフレキシブルプリント配線板を示す。
この第３の実施形態は、上記第２実施形態における導電性連結部材１２を、網目状構造の導電性連結部材１３に変更したものである。
この網目状構造の導電性連結部材１３もリン青銅からなり、信号線１と同程度の配線幅を有し、信号線１表面に対向するアーチ状部６ａの部分に高周波が伝搬可能に接して、且つ信号線１に沿ってスリット７と交差させて設けられる。また、導電性連結部材１３は、アーチ状部６ａ上に直接のせて外側から絶縁材のジグ（図示せず）で固定される。
導電性連結部材１３の網目の間隔を、信号線１の幅に対して十分に小さくすることにより、上記第２の実施形態と同等の良好な特性が得られた。
【００３２】
上述した第２、第３の実施形態では、導電性連結部材としてリン青銅を用いた例で説明したが、導電性連結部材の材質はこれに限定されるものではなく、リターン電流の通り道となるように良好な導電率を有するものであればよく、例えば、導電性樹脂により導電性連結部材を形成しても良い。
また、導電性連結部材を導電性ペーストなどにより外部導体である導電性シート６に接着すれば、上述した第２、第３の実施例と比較し可撓性は劣るが、導電性連結部材と導電性シートとの接続信頼性は向上する。
【００３３】
〈第４の実施形態〉
図６に、第４の実施形態のフレキシブルプリント配線板を示す。
この第４の実施形態も、上記図１及び図２に示したフレキシブルプリント配線板の基本構造を有するが、図６に示すように、スリット７の隙間には、リン青銅製の外部導体６よりも弾性が大きい（弾性率の小さい）導電性材料１４が充填されている点で相違する。
導電性材料１４が、スリット７を遮蔽して設けられているので、スリット７を横切ってリターン電流が流れ、特性インピーダンスの増加を防止でき、特定の周波数での反射による遮断域を低減できる。また、導電性材料１４は外部導体６よりも弾性が大きい（弾性率が小さい）材料、たとえば、導電性ポリマーからなるので、フレキシブルプリント配線板の可撓性の低下を抑制できる。
【００３４】
導電性材料１４として導電性ポリマーを用い、導電性ポリマーの電気伝導率を１.０×
１０３［Ｓ／ｍ］、１.０×１０４［Ｓ／ｍ］、１.０×１０５［Ｓ／ｍ］と変更した場合
の伝送特性を図９に示す。ここで、信号線１の形状・寸法、信号線１とグランド線２及び外部導体６との間隔、スリット７の幅、間隔は上記実施形態と同じである。
図９に示すように、電気伝導率が１.０×１０４［Ｓ／ｍ］以上において、スリット７
が無い場合と比較し十分良好な伝送特性が得られた。よって、導電性材料１４は、電気伝導率が１.０×１０４［Ｓ／ｍ］以上の導電性ポリマーなどの材料が好ましい。
【００３５】
なお、フレキシブルプリント配綿板の形状・寸法は、上記実施形態に限定されるものではなく、信号線の形状・寸法や求められる特性インピーダンスにより適宜決定すればよい。
また導電性連結部は、求められる伝送特性を満たすことができれば、導電性シー卜の一方の面のみに設ける構造としてもよい。
また、外部導体６の周囲に、図示しない外部絶縁層、例えばポリイミドフィルムを設けてもよい。外部絶縁層の形成方法としては、外部導体６の周囲にポリイミドフィルムを貼り付けて形成される。これにより、上記第１〜３の実施形態においては、スリット７からのゴミの混入などを防ぐことができる。
【図面の簡単な説明】
【００３６】
【図１】本発明の前提となる基本構成を有するフレキシブルプリント配線板を示す斜視図である。
【図２】図１の断面図である。
【図３】本発明に係るフレキシブルプリント配線板の第１の実施形態を示す斜視図である。
【図４】本発明に係るフレキシブルプリント配線板の第２の実施形態を示す斜視図である。
【図５】本発明に係るフレキシブルプリント配線板の第３の実施形態を示す斜視図である。
【図６】本発明に係るフレキシブルプリント配線板の第４の実施形態を示す斜視図である。
【図７】図１のフレキシブルプリント配線板の伝送特性を示す図である。
【図８Ａ】第１の実施形態において、導電性連結部の幅が０.２ｍｍのときの伝送特性を示す図である。
【図８Ｂ】第１の実施形態において、導電性連結部の幅が１.０ｍｍのときの伝送特性を示す図である。
【図８Ｃ】第１の実施形態において、導電性連結部の幅が１.６ｍｍのときの伝送特性を示す図である。
【図８Ｄ】第１の実施形態において、導電性連結部の幅が２.０ｍｍのときの伝送特性を示す図である。
【図９】図６の実施形態の伝送特性を示す図である。
【符号の説明】
【００３７】
１  信号線（銅配線）
２  グランド線（銅配線）
３  スルーホール
４  導電性ペースト
５  ポリイミドシート（絶縁性シート）
６  外部導体（導電性シート）
６ａ  アーチ状部
６ｂ  平面状部
７  スリット
１１  導電性連結部
１２  導電性連結部材
１３  網目状の導電性連結部材
１４  導電性材料
Ａ  間隙（空隙）
【図１】
0005050797.tif 000002
【図２】
0005050797.tif 000003
【図３】
0005050797.tif 000004
【図４】
0005050797.tif 000005
【図５】
0005050797.tif 000006
【図６】
0005050797.tif 000007
【図７】
0005050797.tif 000008
【図８Ａ】
0005050797.tif 000009
【図８Ｂ】
0005050797.tif 000010
【図８Ｃ】
0005050797.tif 000011
【図８Ｄ】
0005050797.tif 000012
【図９】
0005050797.tif 000013